(57)【特許請求の範囲】
【請求項１】
液体収容タンクの上面壁に液体投入用上開口を設け、そこに開閉自在な上蓋を備え、そのタンクの底面壁にタンクを立てて置くための支持用台部を突設し、その台部付きタンクに、タンク内の液体を吸入し加圧するピストン又はダイヤフラムを備えた液加圧室と、その加圧液を蓄える蓄圧チャンバとを備えて、その蓄圧チャンバから加圧液を吐出するポンプを組み付け、その台部で把持用先端部を有する棒状の操作レバーと一体の回動軸を回動自在に支持し、その操作レバー軸とポンプの液加圧室内に突出し、ピストン又はダイヤフラムを駆動する駆動用ロッドとの間に、操作レバー軸の回動運動を駆動用ロッドの往復直線運動に変換する機構を介在してなる背負式レバー操作型噴霧機であって、上記台部付きタンクの後面壁中央部を凹ませてポンプ収納凹所を形成し、その台部の左右後側に操作レバー軸受穴を有する突部をそれぞれ設け、そのタンクの最下部付近の壁にタンク内の液体をポンプの液加圧室に送る液送出用下穴を設け、その液加圧室に液送出用下穴と対応する液受入用口部を設けると共に、その液加圧室の下側部に操作レバー軸が嵌まる軸受部を突設し、そのポンプ収納凹所内にポンプを収納して、操作レバー軸を台部の左右後側突部に設けた両軸受穴と液加圧室の下側部に設けた軸受部に嵌めて組み付け、台部付きタンクの後側にポンプを外付けすることを特徴とする背負式レバー操作型ポンプ外付け噴霧機。
【請求項２】
タンクの後面壁に、ポンプ収納凹所の上側部に収納したポンプの蓄圧チャンバを覆うポンプカバーを備え付けることを特徴とする請求項１記載の背負式レバー操作型ポンプ外付け噴霧機。
【発明の詳細な説明】
【技術分野】
【０００１】
本発明は、薬液等の液体散布に使用する背負式のレバー操作型噴霧機に関する。
【背景技術】
【０００２】
従来、農作物、その他へ薬液、水等の液体散布をするため、背負って棒状のレバーを操作する手動噴霧機が使用されている。このような背負式レバー操作型噴霧機１は、図７に示すように通常その主要部を、液体を収容するタンク２に、そのタンク内の液体を吸入し加圧して吐出するポンプ３を組み付け一体化して構成する。そして、タンク２にはその上面壁に、液体投入用の口径の大きな上開口を設け、そこに開閉自在な上蓋４を備える。又、タンク２の底面壁の背負面壁（前面壁）側下部に、タンク２を立てて地面等の上に置くための支持用台部５を突設し、更に底面壁の後面壁側にポンプ３の蓄圧チャンバ側をタンク２内に下方から挿入し、組み付けるための口径の大きな下開口を設ける。
【０００３】
又、ポンプ３として、タンク２内の液体を室内に備えたピストン又はダイヤフラムの運動により吸入し加圧する液加圧室と、その加圧液を蓄える蓄圧チャンバとを一体に結合して備えたユニットを用いる。すると、タンク２にポンプ３を組み付ける際、図８に示すようにタンク２の口径の大きな下開口の周囲下面６と、液加圧室７の下部側周囲に設けたフランジ部８の相対する上面との間にパッキン９を介在し、それ等の外側を取り囲むポンプ固定用の組み付けキャップ１０を用いて、タンク２にポンプ３を組み付けて固定し、水漏れを防止できる。なお、組み付けキャップ１０はタンク２の下開口部１１に螺合する。
【０００４】
又、噴霧機１をレバー操作型にするため、先端部１２を把持用にした棒状レバー１３を用いる。そして、レバー１３の基部をレバー１３の回動の中心となる軸１４に一体に結合し、その軸１４を台部５の中央部を左右に貫通する２箇所の支持穴１５（１５ａ、１５ｂ）に夫々挿通して回動自在に支持する。その際、レバー１３を台部５の左側面壁から突出させ、その基部側を屈曲させることにより軸１４に対し直角状態に設置する。又、そのレバー軸１４にピニオン１６を固定し、そのピニオン１６をラック１７と噛み合せる。しかも、そのラック１７は液加圧室７の室壁を挿通して内部に突出し、ピストン又はダイヤフラムを駆動する駆動用ロッド１８の外端側に設ける。すると、レバー１３の上下動操作により発生する軸１４の回動運動をピニオン１６とラック１７との噛み合せにより、駆動用ロッド１８の往復直線運動に変換できる。なお、ポンプ３を構成する液加圧室７の下部にも、ピニオン１６の近傍にレバー軸１４を支持する軸受１９を設ける。
【０００５】
それ故、タンク２内の液体を液加圧室７に備えたピストン２０又はダイヤフラムの運動により吸入し加圧でき、更にその加圧液を蓄圧チャンバ２１に蓄え吐出できる。そして、加圧液をホース等の液圧送管を通し、先端に備えた噴霧ノズルより作物等に散布できる。なお、２２(２２ａ、２２ｂ)は噴霧機１を背負式にするため、肩掛けバンド等を台部５付きタンク２の背負面壁に配置するための止め穴である。
【０００６】
このように背負式レバー操作型ポンプ内付け噴霧機１では、レバー１３の上下動操作により発生する軸１４の回動運動を、ピニオン１６とラック１７の噛み合せにより、液加圧室７内に突出する駆動用ロッド１８の往復直線運動に変換しているが、レバー軸１４と駆動用ロッド１８との間に、回動運動を往復直線運動に変換する他の機構としてリンク機構を介在したものもある。
【特許文献１】意匠登録第８４６５３４号
【特許文献２】特開２００２−２５３９９８
【発明の開示】
【発明が解決しようとする課題】
【０００７】
しかしながら、このような背負式レバー操作型ポンプ内付け噴霧機１では、台部５付きタンク２の底面壁に、ポンプ３の蓄圧チャンバ側を下方から挿入してタンク２にポンプ３を組み付けるため、図９に示すような大きな口径を有する下開口５４を設けなければならない。このため、成形性、シール性、組立性、メンテナンス性等に関して次のような問題がある。先ず、成形性に関しては、タンク２の底面壁の背負面壁側下部から台部５を突設し、その底面壁の後面壁側に口径の大きな下開口５４を設けるので、下方からのポンプ挿入を円滑に行えるように台部５の後面壁中央部の全体を大きく後退させなければならない。しかも、タンク２を倒れないようにするため、台部５の最下部を形成する両足５５（５５ａ、５５ｂ）の各後側部分を夫々後方に長く突出して、転倒防止機能を高める必要がある。
【０００８】
そこで、通常はブロー成形を採用し、両足５５の各後側部分を夫々膨らませることにより後方に長く突出させている。しかし、ブロー成形により両足５５の各後側部分の幅と長さとの比を１：１を超え、１：１．５程にして長くすると、突出後端部の肉厚が薄くなってしまう。それ故に、タンク２を支持する台部５の両足５５の各突出後端部の強度を確保できる最低肉厚を得るためには、他の部分の肉厚を必要以上に大きくしなければならず、それだけプラスチック等の成形材料を多量に必要とするという不都合があった。
【０００９】
次に、シール性に関しては、タンク２に口径の大きな下開口５４を設け、その周囲下面６とポンプ３の液加圧室７の下部側周囲に設けたフランジ部８の相対する上面との間に、パッキン９を介在しているが、そのシール面である下開口周囲下面６の精度が高くないと液漏れが発生する。しかし、このような台部５付きタンク２は中空成形により製作するので、下開口周囲下面６には常に金型のパーティングラインが筋となって表われ僅かに突出する。そこで、精度を高めるためには、下開口周囲下面６を削って平らに加工しなければならず、負担が大きく不都合であった。
【００１０】
次に、組立性に関しては、大きなリング状パッキン９を用いて、タンク２の下開口周囲下面６とポンプ３のフランジ部８の相対する上面との間に介在し、更にポンプ固定用の組み付けキャップ１０を用いて、タンク２にポンプ３を組み付け固定するため、そのままでは非常に組み付け難い。そこで、通常はポンプ３のフランジ部８の上面に接着剤を付けて、そこにパッキン９を固着させた後に組み付けを行ない、或いはフランジ部８の上面に係止用突起を設ける等して、そこにパッキン９を固定して組み付けを行っていた。それ故、組立時の負担が大きいという不都合があった。
【００１１】
本発明は、このような従来の問題点に着目してなされたものであり、台部付きタンクにポンプ組み付け用の口径の大きな下開口を設けず、成形性、シール性、組立性、メンテナンス性に優れ、成形材料が少なく、軽量化できて、強度の大きな背負式レバー操作型ポンプ外付け噴霧機を提供することを目的とする。
【課題を解決するための手段】
【００１２】
上記目的を達成するために、本発明による背負式レバー操作型ポンプ外付け噴霧機は、液体収容タンクの上面壁に液体投入用上開口を設け、そこに開閉自在な上蓋を備え、そのタンクの底面壁にタンクを立てて置くための支持用台部を突設し、その台部付きタンクに、タンク内の液体を吸入し加圧するピストン又はダイヤフラムを備えた液加圧室と、その加圧液を蓄える蓄圧チャンバとを備えて、その蓄圧チャンバから加圧液を吐出するポンプを組み付け、その台部で把持用先端部を有する棒状の操作レバーと一体の回動軸を回動自在に支持し、その操作レバー軸とポンプの液加圧室内に突出し、ピストン又はダイヤフラムを駆動する駆動用ロッドとの間に、操作レバー軸の回動運動を駆動用ロッドの往復直線運動に変換する機構を介在する。
【００１３】
そして、上記台部付きタンクの後面壁中央部を凹ませてポンプ収納凹所を形成し、その台部の左右後側に操作レバー軸受穴を有する突部をそれぞれ設け、そのタンクの最下部付近の壁にタンク内の液体をポンプの液加圧室に送る液送出用下穴を設け、その液加圧室に液送出用下穴と対応する液受入用口部を設けると共に、その液加圧室の下側部に操作レバー軸が嵌まる軸受部を突設し、そのポンプ収納凹所内にポンプを収納して、操作レバー軸を台部の左右後側突部に設けた両軸受穴と液加圧室の下側部に設けた軸受部に嵌めて組み付け、台部付きタンクの後側にポンプを外付けする。
【００１４】
又、上記タンクの後面壁に、ポンプ収納凹所の上側部に収納したポンプの蓄圧チャンバを覆うポンプカバーを備え付けると好ましくなる。
【発明の効果】
【００１５】
本発明の背負式レバー操作型ポンプ外付け噴霧機は、台部付きタンクの後面壁中央部を凹ませてポンプ収納凹所を形成し、その台部の左右後側に操作レバー軸受穴を有する突部をそれぞれ設け、その凹所内にポンプを収納して組み付け、台部付きタンクの後側にポンプを外付けし、そのタンクの最下部付近の壁にタンク内の液体をポンプの液加圧室に送る液送出用下穴を設けることにより、タンクとポンプとをホース等の液送管でつなぐだけでよくなり、タンクに設ける液送出用下穴の口径を小さくできる。当然、タンクの底面壁に、ポンプの蓄圧チャンバ側を下方からタンク内に挿入するための口径の大きな下開口を設ける必要がなくなり、台部の後面壁中央部を大きく後退させる必要もない。そして、台部の左右最下部を夫々形成する両足の各後側部の幅と長さをほぼ同じ比率で夫々大きくできる。すると、ブロー成形して各足の幅が狭い突出後端部を夫々膨らませても、各突出後端部の強度を確保するための最低肉厚を得易く、他の部分の肉厚を必要以上に大きくする必要がない。それ故、脚部付きタンクの成形性が優れたものとなり、成形材料が少なくて済み、軽量化できて、強度を大きくすることができる。
【００１６】
又、タンクの最下部付近の壁に、口径の小さな液送出用下穴を設けるだけでよくなり、台部付きタンクの成形時にその液送出用下穴を形成し、或いは成形後にその下穴をドリル等により開けて、シール部材としてＯリング等を用いることにより、加工上の負担も小さく、液漏れを簡単に防止できる。それ故、シール性が優れたものになる。
【００１７】
又、ポンプの液加圧室の下側部に操作レバー軸が嵌まる軸受部を突設することにより、組立時に台部付きタンクの凹所内にポンプを収納し、その台部の左右後側突部に設けた両軸受穴で操作レバー軸を回動自在となるように支持できると共に、その操作レバー軸を液加圧室の下側部に設けた軸受部に挿通できる。このため、ポンプを台部付きタンクに操作レバー軸を介して支持させることができる。そして、タンクの液送出用下穴と液加圧室の液受入用口部とを液送管を用いて結合し、台部付きタンクの凹所内にポンプを収納して、操作レバー軸を台部の左右後側突部に設けた両軸受穴と液加圧室の下側部に設けた軸受部に嵌めて組み付けると、その台部付きタンクの後側にポンプを外付けできる。それ故、台部付きタンクにポンプを組み付け易くなり、組立性が優れたものになる。当然、メンテナンス性にも優れている。
【００１８】
又、タンクの後面壁に、ポンプ収納凹所の上側部に収納したポンプの蓄圧チャンバを覆うポンプカバーを備え付けると、蓄圧チャンバを日光等から保護できるため好都合となる。
【発明を実施するための最良の形態】
【００１９】
以下、添付の図１〜６を参照して、本発明の実施の最良形態を説明する。
図１は本発明を適用した背負式レバー操作型ポンプ外付け噴霧機の背面図、図２は同噴霧機の底面図である。この背負式レバー操作型ポンプ外付け噴霧機２３は、やはりその主要部を液体を収容するタンク２４に、そのタンク２４内の液体を吸入し加圧して吐出するポンプ２５を組み付け一体化して構成する。そして、タンク２４にはその上面壁に液体投入用の口径の大きな上開口を設け、そこに開閉自在な上蓋（図示なし）を備える。又、タンク２４を立てて地面等の上に置くため、タンク２４の底面壁から下方に支持用台部２７を突設する。その際、台部２７をタンク２４の底面壁の後面壁側から突出する。
【００２０】
又、このような台部２７付きタンク２４は左右をほぼ対称にする。そして、その台部２７付きタンク２４の後面壁２８の中央部２９を、図３、４に示すように凹ませ、タンク２４の上部を除く下部側をポンプ収納凹所３０に形成する。しかも、ポンプ２５として、図５に示すようなタンク２４内の液体を吸入し加圧するピストン又はダイヤフラムを備えた液加圧室３１と、その加圧液を蓄える蓄圧チャンバ３２とを備え、その液加圧室３１上に蓄圧チャンバを乗せ一体にしたユニットを用いる。そこで、台部２７付きタンク２４のポンプ収納凹所３０を形成する後面壁中央部２９を、ポンプ２５の大きさ、外形形状等に合せて後退させ、そのタンク２４の後面壁中央部２９の最下部付近の右側部に、タンク２４の内部空間５２に収容した液体をポンプ２５の液加圧室３１に送る液送出用下穴３３を設ける。なお、３４はタンク２４の液体投入用上開口、３５はタンク２４の背負面壁、３６はタンク２４の底面壁である。
【００２１】
又、台部２７は後面壁中央部２９の該当部分を凹ませることにより、台部２７の左右部がいずれも後側に突出してタンク２４を立てる方向に沿って脚状に膨らむ。すると、台部２７の左右後側突部３７（３７ａ、３７ｂ）を平行状態に配設し、その左右部の各最下部を地面等に接触させるための両足３８（３８ａ、３８ｂ）にできる。そして、台部２７の左右後側突部３７に操作レバー軸挿通用の貫通した軸受穴３９（３９ａ、３９ｂ）を夫々設ける。なお、台部２７の内部を空洞にする。
【００２２】
このような台部２７付きタンク２４にすると、その台部２７付きタンク２４の後面壁中央部２９を凹ませてポンプ収納凹所３０を形成し、その台部２７の左右後側に操作レバー軸受穴３９を有する突部３７をそれぞれ設け、後述する方法によって、その凹所３０内にポンプ２５を収納して組み付け、台部２７付きタンク２４の後側にポンプ２５を外付けできる。すると、タンク２４の最下部付近の壁５３に、タンク２４内の液体をポンプ２５の液加圧室３１に送る液送出用下穴３３を設け、その液送出用下穴３３とポンプ２５の液受入用口部４０をホース等の液送管でつなぐだけでよくなり、タンク２４に設ける液送出用下穴３３の口径を小さくできる。当然、タンク２４の底面壁３６に従来のような口径の大きな下開口を設ける必要がなくなり、台部２７の後面壁中央部２９を大きく後退させる必要もない。そして、台部２７の左右最下部を形成する両足３８の各後側部の幅と長さを１：１の近傍で夫々大きくできる。すると、ブロー成形により各足３８の幅が狭い突出後端部４１（４１ａ、４１ｂ）を夫々膨らませても、その各突出後端部４１の強度を確保するための最低肉厚を得易く、他の部分の肉厚を必要以上に大きくする必要がない。それ故、台部２７付きタンク２４の成形性が優れたものになり、プラスチック等の成形材料が少なくて済み、軽量化できて、強度を大きくすることができる。
【００２３】
又、タンク２４の最下部付近の壁５３に、口径の小さな液送出用下穴３３を設けるだけでよくなり、台部２７付きタンク２４の成形時にその液送出用下穴３３を形成し、或いは成形後にその下穴３３をドリル等により開けて、シール部材としてＯリング等を用いることにより、加工上の負担も小さなり、液漏れを簡単に防止できる。それ故、シール性が優れたものになる。
【００２４】
噴霧機１の組立時、長さ方向のほぼ中央を直角状の屈曲箇所にしてＬ字状に屈曲させた棒状体４２を用いる。そして、その屈曲箇所より一方の側部を操作用のレバー４３、他方の側部をレバー操作の中心となる回動軸４４にする。又、操作レバー４３の先端部４５を把持用箇所にし、その操作レバー４３と一体の回動軸４４を台部２７の左右後側突部３７に設けた一対の貫通した軸受穴３９（３９ａ、３９ｂ）に挿通する。すると、その台部２７により操作レバー軸４４を水平方向に支持できる。そこで、操作レバー軸４４とポンプ２５の液加圧室３１の内部に突出し、ピストン又はダイヤフラムを駆動する駆動用ロッドとの間に、操作レバー軸４４の回動運動を駆動用ロッドの往復直線運動に変換する機構として、例えばピニオン４６とラック４７との噛み合せ機構を介在する。その際、操作レバー軸４４にピニオン４６を固着し、ラック４７は液加圧室３１の内部に収納したピストンまたはダイヤフラムと内端が結合し、室壁を挿通して外部に突出する駆動用ロッドの外端側に設ける。又、液加圧室３１にはその下側部に操作レバー軸４４が嵌まる軸受部４８を突設する。
【００２５】
このようにして、図６に示すように台部２７付きタンク２４の凹所３０内にポンプ２５を収納し、操作レバー軸４４を台部２７の左右後側突部３７に設けた両軸受穴３９と液加圧室３１の下側部に設けた軸受部４８に嵌めて組み付けると、台部２７付きタンク２４の後側にポンプ２５を外付けして、主要部を構成できる。それ故、台部２７付きタンク２４にポンプ２５を組み付け易くなり、組立性が優れたものになる。当然、メンテナンス性にも優れている。
【００２６】
そこで、タンク２４の後面壁（台部２７付きタンク２４の後面壁２８の上部側）に、ポンプ収納凹所３０の上部側に収納したポンプ２５の蓄圧チャンバ３２を覆うポンプカバー（図示なし）を備え付ける。その際、タンク２４の後面壁の上部直下を少し後退させて、その中央にねじ穴４９を設け、ポンプカバーをねじ止めして係止する。すると、蓄圧チャンバ３２を日光等から保護できるため好都合となる。そして、蓄圧チャンバ３２の最下部付近に加圧液を吐出する吐出用口部５０を設け、そこにホース等の液圧送管を接続し、その先端に噴霧ノズルを備え付ける。又、噴霧機１を背負式にするため、タンク２４の左右上隅部の２箇所と台部２７の左右下隅部の２箇所に、２本の背負いバンドを左右に配置するための止め穴５１（５１ａ、……５１ｄ）を夫々設ける。すると、背負いバンドを取り付けることにより、背負式レバー操作型ポンプ外付け噴霧機２３が完成する。
【００２７】
使用時には、噴霧機２３を背負い、レバー４３の先端部を把持して適宜上下動させる。すると、液加圧室３１のピストン又はダイヤフラムを上下動させて、そのピストン又はダイヤフラムの運動によりタンク２４内の液体を吸入し加圧した後、その加圧液を蓄圧チャンバ３２に蓄え、更に液圧送管を介して噴霧ノズルから作物等の対象物に散布できる。その際、操作レバー４３を上下動させてあおると、ポンプ２５に働く回動軸４４を中心とするモーメントは、常に台部２７付きタンク２４の後面壁中央部２９に向かう。それ故、台部２７付きタンク２４の凹所３０内に収納したポンプ２５を、台部２７で回動自在に支持したレバー軸４４のみによって良好に保持できる。
【００２８】
なお、上記実施の形態ではレバー軸４４の回動運動をピストン又はダイヤフラムを駆動する駆動用ロッドの往復直線運動に変換する機構として、ピニオン４６とラック４７との噛み合せ機構を用いたが、リンク機構を用いることもできる。
【図面の簡単な説明】
【００２９】
【図１】本発明を適用した背負式レバー操作型ポンプ外付け噴霧機の背面図である。
【図２】同噴霧機の底面図である。
【図３】同噴霧機の主要部を構成する台部付きタンクの背面図である。
【図４】同台部付きタンクの縦断面図である。
【００３０】
【図５】同噴霧機の主要部を構成するポンプの側面図である。
【図６】同噴霧機の台部付きタンクにポンプを組み付けた状態を示す縦断面図である。
【図７】従来の背負式レバー操作型ポンプ内付け噴霧機の背面図である。
【図８】同噴霧機の内部構造を示す図７のＡ−Ａ縦断面図である。
【図９】同噴霧機の主要部を構成する台部付きタンクの底面図である。
【符号の説明】
【００３１】
２３…背負式レバー操作型ポンプ外付け噴霧機  ２４…タンク  ２５…ポンプ  ２７…台部  ２８…台部付きタンクの後面壁  ２９…後面壁中央部  ３０…ポンプ収納凹所  ３１…液加圧室  ３２…蓄圧チャンバ  ３３…液送出用下穴  ３４…液体投入用上開口  ３５…背負面壁  ３６…底面壁  ３７…台部の後側突部  ３８…足  ３９…操作レバー軸受穴  ４０…液受入用口部  ４１…突出後端部  ４３…操作レバー  ４４…操作レバー軸  ４５…把持用先端部  ４６…ピニオン  ４７…ラック  ４８…軸受部  ４９…ポンプカバーねじ止め穴  ５０…吐出用口部  ５１…背負バンド止め穴  ５２…内部空間  ５３…タンク最下部付近の壁
【図１】
0004546506.tif 000002
【図２】
0004546506.tif 000003
【図３】
0004546506.tif 000004
【図４】
0004546506.tif 000005
【図５】
0004546506.tif 000006
【図６】
0004546506.tif 000007
【図７】
0004546506.tif 000008
【図８】
0004546506.tif 000009
【図９】
0004546506.tif 000010